(57)【要約】      （修正有）【課題】製品外側面に部材が突出せず、密閉構造にして、防水及び防塵を図り、取り扱いが便利で見た目の良い、穿孔用位置決めジグを提供する。【解決手段】押しボタン２を右指先で下方へプッシュすると、テーパーカム軸の下降でレンズホルダー１ａが支軸６を軸心として回転し、凸レンズ２０があらかじめ設定されている下部監察口３ｂと合致する位置で停止する。次に左手でジグ本体を持ち、上部監察口３ａと下部監察口３ｂを透して、被加工材のケガキ交点がほぼ中心に収まるようにジグ本体を被加工材に仮置き保持する。そこでポンチ１４を上部監察口３ａから挿入して頭部をハンマーで打ち、目標の交点に正確なポンチ打ちを行う。【選択図】図１
2009214285.tif 000002
【特許請求の範囲】
外形が円筒形又は四角筒のジグで、先願済（出願番号２００６−４１６１２）の穿孔用位置決めジグの改良案で、以下の請求項１〜４に集約される穿孔用位置決めジグである。
【請求項１】
レンズホルダー１ａの活用と収納動作を押しボタン２のプッシュにてテーパーカム軸９をダウンさせて、凸レンズ２０を下部監察口３ｂに合わせる構造を特徴とするジグ
【請求項２】
レンズホルダー１ｂの活用と収納動作を押しボタン２のプッシュにて回転軸８を回転させて、凸レンズ２０を下部監察口３ｂに合わせる構造を特徴とするジグ
【請求項３】
レンズホルダー１ｃの活用と収納動作を押しボタン２のプッシュにて操作ケーブル１０を操作して、凸レンズ２０を下部監察口３ｂに合わせる構造を特徴とするジグ
【請求項４】
レンズホルダー１ｄの活用と収納動作を押しボタン２のプッシュにて請求項１〜３に記載される操作と同様の操作を適宜組み込み、１ｄに組み込まれている凹レンズ２０及び凸レンズ２１をそれぞれ下部監察口３ｂに合わせ希望の作業を遂行することができるジグ
【発明の詳細な説明】
【技術分野】本発明は、被加工物に正確にポンチマークを付けるための位置決めジグに関するものである。
【背景技術】本人自身による発明（特願２００６−４１６１２）により代表される
【発明が解決しようとする課題】
従来技術は、製品外側面に部材が突出していて密閉構造でないため、防水及び防塵上障害があり、また突出部があることにより取り扱いが不便で、見た目も良くないという欠点があった。
【課題を解決するための手段】
新方式は、構造上密閉状態を保持しつつ位置決め構造を押しボタンにより回転させて、上記課題を一気に解決し、さらに請求項４のような機能を追加したジグも提案するものである。
【作用】
請求項１は、押しボタン２を右指先で下方へプッシュすると、テーパーカム軸９の下降でレンズホルダー１ａが支軸６を軸心として回転し、凸レンズ２０があらかじめ設定されている下部監察口３ｂと合致する位置で停止する。前期停止位置はあらかじめ調整してあり、また押しボタン２を指先で押し続けることにより設定される。
次に左手でジグ本体を持ち、上部監察口３ａと下部監察口３ｂを透して、被加工材のケガキ交点がほぼ中心に収まるようにジグ本体を被加工材に仮置き保持しておく。
次に上述のように下部監察口３ｂに合致させた凸レンズで拡大されたケガキ交点が、できるだけレンズの中心に来るようにジグ本体を微動調整して完了させ、該ジグ本体をそのまま左手で固定保持すると同時に右指先を押しボタン２から離すと、凸レンズ２０も元にゼロ点復帰する。
そこでポンチ１４を上部監察口３ａから挿入して頭部をハンマーで打ち、目標の交点に正確なポンチ打ちを行うことができる。
請求項２は、押しボタン２を下方へプッシュすると、回転軸８がレンズホルダー１ｂを回転させて、請求項１と同様凸レンズ２０が下部監察口３ｂに合致して停止する。前期停止位置は請求項１と同様あらかじめ調整してあり、また押しボタン２を指先で押し続けることにより設定される。以下上述の手順と同様に微動調整して、正確なポンチ打ちを完了させる。
請求項３は、押しボタン２を下方へプッシュすると、レンズホルダー１ｃが支軸ピン６を軸として回転し、請求項１と同様凸レンズ２０が下部監察口３ｂに合致して停止する。前期停止位置は請求項１と同様あらかじめ調整してあり、また押しボタン２を指先で押し続けることにより設定される。以下上述の手順と同様に微動調整して、正確なポンチ打ちを完了させる。
【発明の実施形態】
まず、請求項１の場合、最初左手でジグ本体を持ち、下部監察口３ｂを垂直に見る位置で、被加工材上のケガキ交点又はポイントマークが該監察口の内に収まるようにプリセットして、軽く押さえて保持する。
次に右手で押しボタン２のプッシュすると、テーパーカム軸９の働きで凸レンズ２０の芯と下部監察口３ｂの芯が合わさり、上述のケガキ交点又はポイントマークが凸レンズ２０を介して拡大監察され、該凸レンズ２０の中心部が小丸照準マークの内側に収まるように左手でジグ本体の位置を微動調整する。調整が完了した時点で該ジグ本体を被加工材へ密着固定する。
次に右手で押している押しボタン２のプッシュを離すと、各々に内蔵しているスプリングの力で押しボタン２は復帰する。また同時にレンズホルダー１ａも回転して原点に復帰する。なお、照明灯１２は、押しボタン２のプッシュと連動して点灯するように設計すれば、作業もスムーズに確実に行うことができる。
請求項２、請求項３も仕組みと構造は多少異なるが、請求項１と概ね同じ動作で作業をすることができる。
【発明の効果】
本発明は、金属類、樹脂類及び木材等に描いたケガキ交点又はポイントマークに対し、正確にポンチを打ち付けたり、センタードリルでのモミツケや小径ドリルでの開口を行うための位置決めジグで、従来方式（本人自身の発明特願２００６−４１６１２）に対する顕著な改良点として、ジグの外観及び安全性の向上と操作の簡便化を実施したものである。
以下に具体的に列挙すると
１、外観はジグ本体の外側面に部材の突起、凹み及び孔がない。
２、従って外観が良くなって取り扱いが便利となり、防塵、防水に優れた構造である。
３、従来の操作方式では、まず左手でジグ本体を持つとき、外側面から突出しているレンズホルダー等の作動に障害ないよう持つ位置を考慮しなければならなかった。
右手の操作では、照明灯のＯＮ／ＯＦＦ操作、レンズホルダーの出し入れ及び回転等の作業を同時にしなければならず、煩雑で困難な作業であった。
改良方式では、左手でジグ本体を扱うとき、外側面に障害部材が皆無なので自由に保持扱うことができる。右手の操作でも、押しボタン２のプッシュ動作と押しボタン２を離す動作で作業が遂行できる。従って操作が非常に楽になる。
【図面の簡単な説明】
【図１】本発明第１の形態の穿孔用位置決めジグの要部斜視図
【図２】図１のＡ−Ａ矢視断面図
【図３】図１の下方部概略図
【図４】本発明第２の形態の穿孔用位置決めジグの要部斜視図
【図５】図４のＢ−Ｂ矢視断面図
【図６】図４の下方部概略図
【図７】本発明第３の形態の穿孔用位置決めジグの要部斜視図
【図８】図７のＣ−Ｃ矢視断面図
【図９】図７の下方部概略図
【図１０】上述の第１〜第３形態の穿孔用位置決めジグ適用例に成る凸レンズ、凹レンズ採用の共通下方部概略図
【符号の説明】
１ａ  レンズホルダーａ（７ｘ１７．５ｘｔ２）
１ｂ  レンズホルダーｂ（７ｘ１７．５ｘｔ２）
１ｃ  レンズホルダーｃ（７ｘ１７．５ｘｔ２）
１ｄ  凸レンズ＆凹レンズホルダー
２    押しボタン
３ａ  上部監察口
３ｂ  下部監察口
４    上端部
５    下方部水平壁面
６    支軸ピン
７    回転軸
８    ねじ構
９    テーパーカム軸
１０  操作ケーブル用導管
１１  操作ケーブル
１２  照明灯（ＬＥＤ）
１４  ポンチ
２０  凸レンズ
２１  凹レンズ
【図１】
2009214285.tif 000003
【図２】
2009214285.tif 000004
【図３】
2009214285.tif 000005
【図４】
2009214285.tif 000006
【図５】
2009214285.tif 000007
【図６】
2009214285.tif 000008
【図７】
2009214285.tif 000009
【図８】
2009214285.tif 000010
【図９】
2009214285.tif 000011
【図１０】
2009214285.tif 000012